【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
番組の放送スケジュールに基づいて作成した電子番組表を所定のネットワークを介してクライアント端末に配信する電子番組表提供システムであって、
前記番組のコンテンツに基づいて作成されたクリップデータを前記電子番組表に含めて、前記クライアント端末へ送信することを特徴とする電子番組表提供システム。
【請求項２】
番組の放送スケジュールに基づいて作成した電子番組表を所定のネットワークを介してクライアント端末に配信する電子番組表提供システムであって、
前記電子番組表の所定の部分には、前記番組のコンテンツに基づいて作成されたクリップデータへのリンクが張られ、前記所定の部分が選択された場合、前記クライアント端末へ前記クリップデータを送信することを特徴とする電子番組表提供システム。
【請求項３】
請求項２記載の前記電子番組表提供システムであって、
前記所定の部分が複数選択された場合、選択された複数の前記所定の部分に各々リンクが張られたクリップデータを順次、前記クライアント端末へ送信することを特徴とする電子番組表提供システム。
【請求項４】
請求項１ないし３いずれか記載の電子番組表提供システムであって、
前記クライアント端末へ送信されたクリップデータを当該クライアント端末の表示装置で再生する、ことを特徴とする電子番組表提供システム。
【請求項５】
請求項１又は２記載の前記電子番組表提供システムであって、
所定のキーワードに基づいて前記クリップデータを管理し、前記クライアント端末から検索キーを受信した場合、前記所定のキーワードと前記検索キーとに基づいて、該当するクリップデータを検索することを特徴とする電子番組表提供システム。
【請求項６】
請求項１又は２記載の前記電子番組表提供システムであって、
前記電子番組表には、前記番組のコンテンツを該番組の放送時間帯に再生する予約を設定するための再生予約設定手段、及び／又は、前記番組のコンテンツを該番組の放送時間帯に録画する予約を設定するための録画予約設定手段、が設けられており、該再生予約設定手段又は該録画予約設定手段により前記番組のコンテンツの再生又は録画の予約がなされた場合、前記クライアント端末に該コンテンツを前記放送時間帯に再生又は録画させることを特徴とする電子番組表提供システム。
【請求項７】
請求項６記載の前記電子番組表提供システムであって、
所定のキーワードに基づいて前記クリップデータを管理し、
前記クライアント端末から検索キーを受信した場合、
前記再生予約設定手段又は前記録画予約設定手段を用いて予約された前記番組のクリップデータを、前記所定のキーワードと前記検索キーとに基づいて検索する予約番組検索手段を有する、ことを特徴とする電子番組提供システム。
【請求項８】
請求項１又は２記載の前記電子番組表提供システムであって、
前記電子番組表には、前記番組のコンテンツを該番組の放送時間帯に録画する予約を設定するための録画予約設定手段が設けられており、該録画予約設定手段により前記番組のコンテンツの録画の予約がなされた場合、該コンテンツを所定の圧縮方式で圧縮して録画することを特徴とする電子番組表提供システム。
【請求項９】
番組の放送スケジュールに基づいて作成した電子番組表を所定のネットワークを介してクライアント端末に提供する電子番組提供方法であって、
前記番組のコンテンツのクリップデータを作成するクリップデータ作成工程と、
該クリップデータ作成工程で作成したクリップデータを前記電子番組表に含めて前記クライアント端末へ送信する電子番組表送信工程と、
を有することを特徴とする電子番組表提供方法。
【請求項１０】
番組の放送スケジュールに基づいて作成した電子番組表を所定のネットワークを介してクライアント端末に提供する電子番組表提供方法であって、
前記番組のコンテンツのクリップデータを作成するクリップデータ作成工程と、
前記電子番組表の所定の部分に、前記クリップデータ作成工程で作成されたクリップデータへのリンクが張られた電子番組表を、前記クライアント端末へ送信する電子番組表送信工程と、
該電子番組表送信工程で送信された電子番組表における前記所定の部分が選択された場合、前記クライアント端末へ前記クリップデータを送信するクリップデータ送信工程と、
を有することを特徴とする電子番組表提供方法。
【請求項１１】
請求項１０記載の前記電子番組表提供方法であって、
前記クリップデータ送信工程は、前記所定の部分が複数選択された場合、選択された複数の前記所定の部分に各々リンクが張られたクリップデータを順次、前記クライアント端末へ送信することを特徴とする電子番組表提供方法。
【請求項１２】
請求項９ないし１１いずれか記載の電子番組表提供方法であって、
前記クライアント端末へ送信されたクリップデータを当該クライアント端末の表示装置で再生するクリップデータ再生工程を有する、ことを特徴とする電子番組表提供方法。
【請求項１３】
請求項９又は１０記載の前記電子番組表提供方法であって、
前記コンテンツに、該コンテンツの内容に対応したインデックスを付与するインデックス付与工程を有し、
前記クリップデータ作成工程は、所定のキーワードと前記インデックスとに基づいて前記コンテンツから対応するクリップデータを抽出し、抽出した該データを結合することで前記クリップデータを作成することを特徴とする電子番組表提供方法。
【請求項１４】
請求項１３記載の前記電子番組表提供方法であって、
前記インデックス付与工程において付与される前記インデックスは、前記映像コンテンツに含まれる音声を音声認識することで生成されたテキスト情報に基づいて作成されることを特徴とする電子番組表提供方法。
【請求項１５】
請求項９又は１０記載の前記電子番組表提供方法であって、
前記クライアント端末から検索キーを受信した場合、所定のキーワードに基づいて管理されている前記クリップデータを、前記所定のキーワードと前記検索キーとに基づいて検索するクリップデータ検索工程を有することを特徴とする電子番組表提供方法。
【請求項１６】
請求項１５記載の前記電子番組表提供方法であって、
前記所定のキーワードは、放送スケジュールから抽出した前記コンテンツのタイトルに含まれる語句と、該放送スケジュールから抽出した放送日時と、該コンテンツに基づいた前記クリップデータを作成する際に使用したキーワードと、の少なくとも１つ以上であることを特徴とする電子番組表提供方法。
【請求項１７】
請求項９又は１０記載の前記電子番組表提供方法であって、
前記電子番組表は、複数の放送局に関する１日の放送スケジュールを一覧表示する構成と、又は、所定の放送局に関する所定期間の放送スケジュールを一覧表示する構成と、のいずれか一方であることを特徴とする電子番組表提供方法。
【請求項１８】
請求項９又は１０記載の前記電子番組表提供方法であって、
前記クライアント端末から受信したキーワードを含む放送スケジュールを番組単位で特定する対応番組特定工程と、
該対応番組特定工程で特定された番組単位の放送スケジュールに基づいて、電子番組表を作成する電子番組表作成工程と、
を有することを特徴とする電子番組表提供方法。
【請求項１９】
請求項９又は１０記載の前記電子番組表提供方法であって、
前記電子番組表には、前記番組のコンテンツを該番組の放送時間帯に再生する予約を設定するための再生予約設定手段、及び／又は、前記番組のコンテンツを該番組の放送時間帯に録画する予約を設定するための録画予約設定手段、が設けられており、
該再生予約設定手段又は該録画予約設定手段により前記番組の映像コンテンツの再生又は録画の予約がなされた場合、該予約の内容を登録する予約内容登録工程と、
該予約内容登録工程で登録された前記予約の内容に基づいて、前記クライアント端末に該映像コンテンツを前記放送時間帯に再生又は録画させるコンテンツ再生／録画工程と、
を有することを特徴とする電子番組表提供方法。
【請求項２０】
請求項１９記載の前記電子番組表提供方法であって、
前記クリップデータは所定のキーワードに基づいて管理されており、
前記クライアント端末から検索キーを受信した場合、前記再生予約設定手段又は前記録画予約設定手段を用いて予約された前記番組のクリップデータを、前記所定のキーワードと前記検索キーとに基づいて検索する予約番組検索工程を有する、ことを特徴とする電子番組提供方法。
【請求項２１】
請求項９又は１０記載の前記電子番組表提供方法であって、
前記電子番組表には、前記番組のコンテンツを該番組の放送時間帯に録画する予約を設定するための録画予約設定手段が設けられており、
該録画予約設定手段により前記番組の映像コンテンツの録画の予約がなされた場合、該予約の内容を登録する予約内容登録工程と、
該予約内容登録工程で登録された前記予約の内容に基づいて、該コンテンツを所定の圧縮方式で圧縮して録画するコンテンツ録画工程と、
を有することを特徴とする電子番組表提供方法。
【請求項２２】
請求項９又は１０記載の前記電子番組表提供方法であって、
前記電子番組表は、放送局毎又は放送局及びユーザ毎に管理された前記動画クリップが視聴された回数に基づいて、前記回数が多い放送局の放送スケジュールから順に、前記放送局の放送スケジュールを左又は上に表示することを特徴とする電子番組表提供方法。
【請求項２３】
請求項９又は１０記載の前記電子番組表提供方法であって、
前記動画クリップが視聴された回数、及び／又は、前記動画クリップが録画された回数を、番組別及び／又は男女別及び／又は年齢別に集計する回数集計工程と、
該回数集計工程で集計された結果を、即時又は所定の期間毎に、所定のネットワーク介して前記放送局に送信する集計結果送信工程と、
を有することを特徴とする電子番組表提供方法。
【請求項２４】
請求項９又は１０記載の前記電子番組表提供方法であって、
前記動画クリップが視聴された回数、及び／又は、前記動画クリップが録画された回数を、番組別及び／又は男女別及び／又は年齢別に集計する回数集計工程と、
該回数集計工程で集計された結果を、即時又は所定の期間毎に、所定のネットワークを介して前記番組のスポンサーに送信する集計結果送信工程と、
を有することを特徴とする電子番組表提供方法。
【請求項２５】
番組の放送スケジュールに基づいて作成した電子番組表を所定のネットワークを介してクライアント端末に配信するサーバを機能させるためのプログラムであって、
前記番組のコンテンツに基づいて作成されたクリップデータが含まれる前記電子番組表を、前記所定のネットワークを介して前記クライアント端末へ送信する電子番組表送信処理を前記サーバに実行させるためのプログラム。
【請求項２６】
番組の放送スケジュールに基づいて作成した電子番組表を所定のネットワークを介してクライアント端末に配信するサーバを機能させるためのプログラムであって、
前記電子番組表の所定の部分に前記番組のコンテンツに基づいて作成されたクリップデータへのリンクが張られた電子番組表を、前記所定のネットワークを介して前記クライアント端末へ送信する電子番組表送信処理と、
前記クライアント端末で選択された所定の部分にリンクが張られたクリップデータを、前記クライアント端末へ送信する送信するクリップデータ送信処理と、
を前記サーバに実行させるためのプログラム。
【請求項２７】
請求項２６記載の前記プログラムであって、
前記クリップデータ送信処理は、選択された複数の前記所定の部分に各々リンクが張られたクリップデータを順次、前記クライアント端末へ送信させることを特徴とするプログラム。
【請求項２８】
請求項２５又は２６記載の前記プログラムであって、
所定のキーワードに基づいて管理している前記クリップデータを、前記クライアント端末から受信した検索キーに基づいて検索するクリップデータ検索処理と、
該クリップデータ検索処理で検索されたクリップデータの一覧に基づいて、電子番組表を作成する検索結果電子番組表作成処理と、
を前記サーバに実行させ、
前記電子番組表送信処理は、前記検索結果電子番組表作成処理で作成された前記電子番組表を送信させることを特徴とするプログラム。
【請求項２９】
請求項２５又は２６記載の前記プログラムであって、
前記電子番組表には、前記番組のコンテンツを該番組の放送時間帯に再生する予約を設定するための再生予約設定手段、及び／又は、前記番組のコンテンツを該番組の放送時間帯に録画する予約を設定するための録画予約設定手段、が設けられており、
該再生予約設定手段又は該録画予約設定手段により設定された再生又は録画の予約の内容を登録する予約内容登録処理と、
該予約内容登録処理で登録された前記予約の内容に基づいて、前記クライアント端末に該コンテンツを前記放送時間帯に再生又は録画させるコンテンツ再生／録画処理と、
を前記サーバに実行させるためのプログラム。
【請求項３０】
請求項２９記載の前記プログラムであって、
前記クリップデータは所定のキーワードに基づいて管理されており、
前記クライアント端末から検索キーを受信した場合、前記再生予約設定手段又は前記録画予約設定手段を用いて予約された前記番組のクリップデータを、前記所定のキーワードと前記検索キーとに基づいて検索する予約番組検索処理を前記サーバに実行させるためのプログラム。
【請求項３１】
請求項２５又は２６記載の前記プログラムであって、
前記電子番組表には、前記番組のコンテンツを該番組の放送時間帯に録画する予約を設定するための録画予約設定手段が設けられており、
該録画予約設定手段で設定された前記番組のコンテンツの録画の予約の内容を登録する予約内容登録処理と、
該予約内容登録処理で登録された前記予約の内容に基づいて、該コンテンツを所定の圧縮方式で圧縮して録画するコンテンツ録画処理と、
を前記サーバに実行させるためのプログラム。
【請求項３２】
番組の放送スケジュールに基づいて作成した電子番組表を所定のネットワークを介してサーバから受信するクライアント端末を機能させるためのプログラムであって、
前記番組のコンテンツに基づいて作成されたクリップデータが含まれる電子番組表を、所定のネットワークを介して前記サーバから受信する電子番組表受信処理と、
該電子番組表受信処理で受信された電子番組表を表示する電子番組表表示処理と、
を前記クライアント端末に実行させるためのプログラム。
【請求項３３】
請求項３２記載の前記プログラムであって、
前記電子番組表受信処理により受信した前記電番組表に含まれるクリップデータを再生するクリップデータ再生処理を、
前記クライアント端末に実行させるためのプログラム。
【請求項３４】
番組の放送スケジュールに基づいて作成した電子番組表を所定のネットワークを介してサーバから受信するクライアント端末を機能させるためのプログラムであって、
前記番組のコンテンツに基づいて作成されたクリップデータへのリンクが張られた電子番組表を、前記所定のネットワークを介して前記サーバから受信する電子番組表受信処理と、
該電子番組表送信処理で受信された電子番組表を表示する電子番組表表示処理と、
該電子番組表表示処理で表示された前記電子番組表において選択された所定の部分にリンクが張られたクリップデータを、前記サーバから受信するクリップデータ受信処理と、
該クリップデータ受信処理により受信されたクリップデータを再生するクリップデータ再生処理と、
を前記クライアント端末に実行させるためのプログラム。
【請求項３５】
請求項３４記載の前記プログラムであって、
前記クリップデータ再生処理は、選択された複数の前記所定の部分に各々リンクが張られたクリップデータを順次、前記サーバから受信させ、
前記クリップデータ受信処理で複数のクリップデータが受信された場合、受信したクリップデータを順次、再生させることを特徴とするプログラム。
【請求項３６】
請求項３２又は３４記載の前記プログラムであって、
所定のキーワードに基づいて管理されている前記クリップデータを検索するための検索キーを前記サーバに送信する検索キー送信処理と、
前記サーバにおいて検索されたクリップデータの一覧に基づいて作成された電子番組表を前記サーバから受信する検索結果電子番組表受信処理と、
を前記クライアント端末に実行させ、
前記電子番組表表示処理は、前記検索結果電子番組表受信処理で受信された電子番組表を表示させることを特徴とするプログラム。
【請求項３７】
請求項３２又は３４記載の前記プログラムであって、
前記電子番組表には、前記番組のコンテンツを該番組の放送時間帯に再生する予約を設定するための再生予約設定手段、及び／又は、前記番組のコンテンツを該番組の放送時間帯に録画する予約を設定するための録画予約設定手段、が設けられており、
該再生予約設定手段又は該録画予約設定手段により入力された前記コンテンツの再生又は録画の予約の内容を、前記サーバに送信する予約内容登録処理と、
該予約内容登録処理で再生又は録画の予約を登録した前記番組のコンテンツを、前記放送時間帯に受信するコンテンツ受信処理と、
該コンテンツ受信処理で受信された前記番組のコンテンツを再生又は録画するコンテンツ再生／録画処理と、
を前記クライアント端末に実行させるためのプログラム。
【請求項３８】
請求項３７記載の前記プログラムであって、
所定のキーワードに基づいて管理されている前記クリップデータを検索するための検索キーを前記サーバに送信する検索キー送信処理と、
前記検索キー送信処理により送信された検索キーと前記所定のキーワードに基づき、前記予約内容登録処理で再生又は録画の予約を登録した前記番組の検索結果を前記サーバから受信する予約番組検索結果受信処理と、を前記クライアント端末に実行させ、
前記電子番組表表示処理は、前記予約番組検索結果受信処理により受信した予約を登録した前記番組の検索結果を表示させることを特徴とするプログラム。
【請求項３９】
請求項３７記載の前記プログラムであって、
前記コンテンツ再生／録画処理は、前記番組のコンテンツを所定の圧縮方式で圧縮して録画させることを特徴とするプログラム。
【請求項４０】
請求項２５から３９のいずれか１項に記載のプログラムを記録した記録媒体。
【手続補正２】
【補正対象書類名】明細書
【補正対象項目名】００１４
【補正方法】変更
【補正の内容】
【００１４】
これにより、請求項３記載の発明では、ＴＶ番組等の映像コンテンツの管理・利用等を、より容易に行える環境において、複数のマルチメディアコンテンツの内容説明を順次、提供することが可能となる。
更に、請求項４記載の発明は、クライアント端末へ送信されたクリップデータを当該クライアント端末の表示装置で再生することを特徴としている。
これにより請求項４記載の発明では、ユーザが所望するマルチメディアコンテンツの情報を視聴することが可能となる。
【手続補正３】
【補正対象書類名】明細書
【補正対象項目名】００１５
【補正方法】変更
【補正の内容】
【００１５】
更に、請求項５記載の発明は、所定のキーワードに基づいて前記クリップデータを管理し、前記クライアント端末から検索キーを受信した場合、前記所定のキーワードと前記検索キーとに基づいて、該当するクリップデータを検索することを特徴としている。
【手続補正４】
【補正対象書類名】明細書
【補正対象項目名】００１６
【補正方法】変更
【補正の内容】
【００１６】
これにより、請求項５記載の発明では、ＴＶ番組等の映像コンテンツの管理・利用等を、より容易に行える環境において、ユーザが所望するマルチメディアコンテンツの情報を提供することが可能となる。
【手続補正５】
【補正対象書類名】明細書
【補正対象項目名】００１７
【補正方法】変更
【補正の内容】
【００１７】
更に、請求項６記載の発明は、前記電子番組表に、前記番組のコンテンツを該番組の放送時間帯に再生する予約を設定するための再生予約設定手段、及び／又は、前記番組のコンテンツを該番組の放送時間帯に録画する予約を設定するための録画予約設定手段、が設けられており、該再生予約設定手段又は該録画予約設定手段により前記番組のコンテンツの再生又は録画の予約がなされた場合、前記クライアント端末に該コンテンツを前記放送時間帯に再生又は録画させることを特徴としている。
【手続補正６】
【補正対象書類名】明細書
【補正対象項目名】００１８
【補正方法】変更
【補正の内容】
【００１８】
これにより、請求項６記載の発明では、ＴＶ番組等の映像コンテンツの管理・利用等を、より容易に行える環境において、マルチメディアコンテンツを放送時間帯に再生又は録画することを予約できる環境を提供することが可能となる。
更に、請求項７記載の発明は、所定のキーワードに基づいて前記クリップデータを管理し、クライアント端末から検索キーを受信した場合、再生予約設定手段又は前記録画予約設定手段を用いて予約された前記番組のクリップデータを、前記所定のキーワードと前記検索キーとに基づいて検索する予約番組検索手段を有する、ことを特徴としている。これにより請求項７記載の発明では、予約した番組のクリップデータを検索できる。
【手続補正７】
【補正対象書類名】明細書
【補正対象項目名】００１９
【補正方法】変更
【補正の内容】
【００１９】
更に、請求項８記載の発明は、前記電子番組表に、前記番組のコンテンツを該番組の放送時間帯に録画する予約を設定するための録画予約設定手段が設けられており、該録画予約設定手段により前記番組のコンテンツの録画の予約がなされた場合、該コンテンツを所定の圧縮方式で圧縮して録画することを特徴としている。
【手続補正８】
【補正対象書類名】明細書
【補正対象項目名】００２０
【補正方法】変更
【補正の内容】
【００２０】
これにより、請求項８記載の発明では、ＴＶ番組等の映像コンテンツの管理・利用等を、より容易に行える環境において、録画されるマルチメディアコンテンツのデータ量を削減することが可能となる。
【手続補正９】
【補正対象書類名】明細書
【補正対象項目名】００２１
【補正方法】変更
【補正の内容】
【００２１】
また、請求項９記載の発明は、番組の放送スケジュールに基づいて作成した電子番組表を所定のネットワークを介してクライアント端末に提供する電子番組提供方法であって、前記番組のコンテンツのクリップデータを作成するクリップデータ作成工程と、該クリップデータ作成工程で作成したクリップデータを前記電子番組表に含めて前記クライアント端末へ送信する電子番組表送信工程と、を有することを特徴としている。
【手続補正１０】
【補正対象書類名】明細書
【補正対象項目名】００２２
【補正方法】変更
【補正の内容】
【００２２】
これにより、請求項９記載の発明では、ＴＶ番組等のマルチメディアコンテンツの管理・利用等を容易に行える環境を提供することが可能となる。
【手続補正１１】
【補正対象書類名】明細書
【補正対象項目名】００２３
【補正方法】変更
【補正の内容】
【００２３】
また、請求項１０記載の発明は、番組の放送スケジュールに基づいて作成した電子番組表を所定のネットワークを介してクライアント端末に提供する電子番組表提供方法であって、前記番組のコンテンツのクリップデータを作成するクリップデータ作成工程と、前記電子番組表の所定の部分に、前記クリップデータ作成工程で作成されたクリップデータへのリンクが張られた電子番組表を、前記クライアント端末へ送信する電子番組表送信工程と、該電子番組表送信工程で送信された電子番組表における前記所定の部分が選択された場合、前記クライアント端末へ前記クリップデータを送信するクリップデータ送信工程と、を有することを特徴としている。
【手続補正１２】
【補正対象書類名】明細書
【補正対象項目名】００２４
【補正方法】変更
【補正の内容】
【００２４】
これにより、請求項１０記載の発明では、ＴＶ番組等のマルチメディアコンテンツの管理・利用等を容易に行える環境を提供することが可能となる。
【手続補正１３】
【補正対象書類名】明細書
【補正対象項目名】００２５
【補正方法】変更
【補正の内容】
【００２５】
更に、請求項１１記載の発明は、前記クリップデータ送信工程が、前記所定の部分が複数選択された場合、選択された複数の前記所定の部分に各々リンクが張られたクリップデータを順次、前記クライアント端末へ送信することを特徴としている。
【手続補正１４】
【補正対象書類名】明細書
【補正対象項目名】００２６
【補正方法】変更
【補正の内容】
【００２６】
これにより、請求項１１記載の発明では、ＴＶ番組等の映像コンテンツの管理・利用等を、より容易に行える環境において、複数のマルチメディアコンテンツの内容説明を順次、提供することが可能となる。
更に、請求項１２記載の発明は、クライアント端末へ送信されたクリップデータを当該クライアント端末の表示装置で再生するクリップデータ再生工程を有する、ことを特徴とする。
これにより、請求項１２記載の発明では、クライアント端末でクリップデータを視聴することが可能となる。
【手続補正１５】
【補正対象書類名】明細書
【補正対象項目名】００２７
【補正方法】変更
【補正の内容】
【００２７】
更に、請求項１３記載の発明は、前記コンテンツに、該コンテンツの内容に対応したインデックスを付与するインデックス付与工程を有し、前記クリップデータ作成工程が、所定のキーワードと前記インデックスとに基づいて前記コンテンツから対応するクリップデータを抽出し、抽出した該データを結合することで前記クリップデータを作成することを特徴としている。
【手続補正１６】
【補正対象書類名】明細書
【補正対象項目名】００２８
【補正方法】変更
【補正の内容】
【００２８】
これにより、請求項１３記載の発明では、ＴＶ番組等の映像コンテンツの管理・利用等を、より容易に行える環境において、目的に応じたクリップデータを作成することが可能となる。
【手続補正１７】
【補正対象書類名】明細書
【補正対象項目名】００２９
【補正方法】変更
【補正の内容】
【００２９】
更に、請求項１４記載の発明は、前記インデックス付与工程において付与される前記インデックスが、前記映像コンテンツに含まれる音声を音声認識することで生成されたテキスト情報に基づいて作成されることを特徴としている。
【手続補正１８】
【補正対象書類名】明細書
【補正対象項目名】００３０
【補正方法】変更
【補正の内容】
【００３０】
これにより、請求項１４記載の発明では、目的に応じたクリップデータを作成する際のインデックスの作成に要される手間を削減することが可能となる。
【手続補正１９】
【補正対象書類名】明細書
【補正対象項目名】００３１
【補正方法】変更
【補正の内容】
【００３１】
更に、請求項１５記載の発明は、前記クライアント端末から検索キーを受信した場合、所定のキーワードに基づいて管理されている前記クリップデータを、前記所定のキーワードと前記検索キーとに基づいて検索するクリップデータ検索工程を有することを特徴としている。
【手続補正２０】
【補正対象書類名】明細書
【補正対象項目名】００３２
【補正方法】変更
【補正の内容】
【００３２】
これにより、請求項１５記載の発明では、ＴＶ番組等の映像コンテンツの管理・利用等を、より容易に行える環境において、ユーザが所望するマルチメディアコンテンツの情報を提供することが可能となる。
【手続補正２１】
【補正対象書類名】明細書
【補正対象項目名】００３３
【補正方法】変更
【補正の内容】
【００３３】
更に、請求項１６記載の発明は、前記所定のキーワードが、放送スケジュールから抽出した前記コンテンツのタイトルに含まれる語句と、該放送スケジュールから抽出した放送日時と、該コンテンツに基づいた前記クリップデータを作成する際に使用したキーワードと、の少なくとも１つ以上であることを特徴としている。
【手続補正２２】
【補正対象書類名】明細書
【補正対象項目名】００３４
【補正方法】変更
【補正の内容】
【００３４】
これにより、請求項１６記載の発明では、ＴＶ番組等の映像コンテンツの管理・利用等を、より容易に行える環境において、的確に所望のクリップデータを特定させる環境を提供することが可能となる。
【手続補正２３】
【補正対象書類名】明細書
【補正対象項目名】００３５
【補正方法】変更
【補正の内容】
【００３５】
更に、請求項１７記載の発明は、前記電子番組表が、複数の放送局に関する１日の放送スケジュールを一覧表示する構成と、又は、所定の放送局に関する所定期間の放送スケジュールを一覧表示する構成と、のいずれか一方であることを特徴としている。
【手続補正２４】
【補正対象書類名】明細書
【補正対象項目名】００３６
【補正方法】変更
【補正の内容】
【００３６】
これにより、請求項１７記載の発明では、ＴＶ番組等の映像コンテンツの管理・利用等を、より容易に行える環境において、用途に応じて電子番組表を提供することが可能となる。
【手続補正２５】
【補正対象書類名】明細書
【補正対象項目名】００３７
【補正方法】変更
【補正の内容】
【００３７】
更に、請求項１８記載の発明は、前記クライアント端末から受信したキーワードを含む放送スケジュールを番組単位で特定する対応番組特定工程と、該対応番組特定工程で特定された番組単位の放送スケジュールに基づいて、電子番組表を作成する電子番組表作成工程と、を有することを特徴としている。
【手続補正２６】
【補正対象書類名】明細書
【補正対象項目名】００３８
【補正方法】変更
【補正の内容】
【００３８】
これにより、請求項１８記載の発明では、ＴＶ番組等の映像コンテンツの管理・利用等を、より容易に行える環境において、ユーザが所望するマルチメディアコンテンツに特化した電子番組表を提供することが可能となる。
【手続補正２７】
【補正対象書類名】明細書
【補正対象項目名】００３９
【補正方法】変更
【補正の内容】
【００３９】
更に、請求項１９記載の発明は、前記電子番組表に、前記番組のコンテンツを該番組の放送時間帯に再生する予約を設定するための再生予約設定手段、及び／又は、前記番組のコンテンツを該番組の放送時間帯に録画する予約を設定するための録画予約設定手段、が設けられており、該再生予約設定手段又は該録画予約設定手段により前記番組の映像コンテンツの再生又は録画の予約がなされた場合、該予約の内容を登録する予約内容登録工程と、該予約内容登録工程で登録された前記予約の内容に基づいて、前記クライアント端末に該映像コンテンツを前記放送時間帯に再生又は録画させるコンテンツ再生／録画工程と、を有することを特徴としている。
【手続補正２８】
【補正対象書類名】明細書
【補正対象項目名】００４０
【補正方法】変更
【補正の内容】
【００４０】
これにより、請求項１９記載の発明では、ＴＶ番組等の映像コンテンツの管理・利用等を、より容易に行える環境において、マルチメディアコンテンツを放送時間帯に再生又は録画することを予約できる環境を提供することが可能となる。
更に、請求項２０記載の発明では、クリップデータは所定のキーワードに基づいて管理されており、クライアント端末から検索キーを受信した場合、前記再生予約設定手段又は前記録画予約設定手段を用いて予約された前記番組のクリップデータを、前記所定のキーワードと前記検索キーとに基づいて検索する予約番組検索工程を有する、ことを特徴とする電子番組提供方法。
これにより請求項２０記載の発明は、予約した番組のクリップデータを検索することができる。
【手続補正２９】
【補正対象書類名】明細書
【補正対象項目名】００４１
【補正方法】変更
【補正の内容】
【００４１】
更に、請求項２１記載の発明は、前記電子番組表に、前記番組のコンテンツを該番組の放送時間帯に録画する予約を設定するための録画予約設定手段が設けられており、該録画予約設定手段により前記番組の映像コンテンツの録画の予約がなされた場合、該予約の内容を登録する予約内容登録工程と、該予約内容登録工程で登録された前記予約の内容に基づいて、該コンテンツを所定の圧縮方式で圧縮して録画するコンテンツ録画工程と、を有することを特徴としている。
【手続補正３０】
【補正対象書類名】明細書
【補正対象項目名】００４２
【補正方法】変更
【補正の内容】
【００４２】
これにより、請求項２１記載の発明では、ＴＶ番組等の映像コンテンツの管理・利用等を、より容易に行える環境において、録画されるマルチメディアコンテンツのデータ量を削減することが可能となる。
【手続補正３１】
【補正対象書類名】明細書
【補正対象項目名】００４３
【補正方法】変更
【補正の内容】
【００４３】
更に、請求項２２記載の発明は、前記電子番組表が、放送局毎又は放送局及びユーザ毎に管理された前記動画クリップが視聴された回数に基づいて、前記回数が多い放送局の放送スケジュールから順に、前記放送局の放送スケジュールを左又は上に表示することを特徴としている。
【手続補正３２】
【補正対象書類名】明細書
【補正対象項目名】００４４
【補正方法】変更
【補正の内容】
【００４４】
これにより、請求項２２記載の発明では、ＴＶ番組等の映像コンテンツの管理・利用等を、より容易に行える環境において、より使い勝手の良い電子番組表を提供することが可能となる。
【手続補正３３】
【補正対象書類名】明細書
【補正対象項目名】００４５
【補正方法】変更
【補正の内容】
【００４５】
更に、請求項２３記載の発明は、前記動画クリップが視聴された回数、及び／又は、前記動画クリップが録画された回数を、番組別及び／又は男女別及び／又は年齢別に集計する回数集計工程と、該回数集計工程で集計された結果を、即時又は所定の期間毎に、所定のネットワーク介して前記放送局に送信する集計結果送信工程と、を有することを特徴としている。
【手続補正３４】
【補正対象書類名】明細書
【補正対象項目名】００４６
【補正方法】変更
【補正の内容】
【００４６】
これにより、請求項２３記載の発明では、マルチメディアコンテンツの作成・提供側に、ユーザの嗜好を的確に捉えた情報を提供することが可能となる。
【手続補正３５】
【補正対象書類名】明細書
【補正対象項目名】００４７
【補正方法】変更
【補正の内容】
【００４７】
更に、請求項２４記載の発明は、前記動画クリップが視聴された回数、及び／又は、前記動画クリップが録画された回数を、番組別及び／又は男女別及び／又は年齢別に集計する回数集計工程と、該回数集計工程で集計された結果を、即時又は所定の期間毎に、所定のネットワークを介して前記番組のスポンサーに送信する集計結果送信工程と、を有することを特徴としている。
【手続補正３６】
【補正対象書類名】明細書
【補正対象項目名】００４８
【補正方法】変更
【補正の内容】
【００４８】
これにより、請求項２４記載の発明では、マルチメディアコンテンツのスポンサー側に、ユーザの嗜好を的確に捉えた情報を提供することが可能となる。
【手続補正３７】
【補正対象書類名】明細書
【補正対象項目名】００４９
【補正方法】変更
【補正の内容】
【００４９】
また、請求項２５記載の発明は、番組の放送スケジュールに基づいて作成した電子番組表を所定のネットワークを介してクライアント端末に配信するサーバを機能させるためのプログラムであって、前記番組のコンテンツに基づいて作成されたクリップデータが含まれる前記電子番組表を、前記所定のネットワークを介して前記クライアント端末へ送信する電子番組表送信処理を前記サーバに実行させる。
【手続補正３８】
【補正対象書類名】明細書
【補正対象項目名】００５０
【補正方法】変更
【補正の内容】
【００５０】
これにより、請求項２５記載の発明では、ＴＶ番組等のマルチメディアコンテンツの管理・利用等を容易に行える環境を実現するプログラムを提供することが可能となる。
【手続補正３９】
【補正対象書類名】明細書
【補正対象項目名】００５１
【補正方法】変更
【補正の内容】
【００５１】
また、請求項２６記載の発明は、番組の放送スケジュールに基づいて作成した電子番組表を所定のネットワークを介してクライアント端末に配信するサーバを機能させるためのプログラムであって、前記電子番組表の所定の部分に前記番組のコンテンツに基づいて作成されたクリップデータへのリンクが張られた電子番組表を、前記所定のネットワークを介して前記クライアント端末へ送信する電子番組表送信処理と、前記クライアント端末で選択された所定の部分にリンクが張られたクリップデータを、前記クライアント端末へ送信する送信するクリップデータ送信処理と、を前記サーバに実行させる。
【手続補正４０】
【補正対象書類名】明細書
【補正対象項目名】００５２
【補正方法】変更
【補正の内容】
【００５２】
これにより、請求項２６記載の発明では、ＴＶ番組等のマルチメディアコンテンツの管理・利用等を容易に行える環境を実現するプログラムを提供することが可能となる。
【手続補正４１】
【補正対象書類名】明細書
【補正対象項目名】００５３
【補正方法】変更
【補正の内容】
【００５３】
更に、請求項２７記載の発明は、前記クリップデータ送信処理が、選択された複数の前記所定の部分に各々リンクが張られたクリップデータを順次、前記クライアント端末へ送信させることを特徴としている。
【手続補正４２】
【補正対象書類名】明細書
【補正対象項目名】００５４
【補正方法】変更
【補正の内容】
【００５４】
これにより、請求項２７記載の発明では、ＴＶ番組等の映像コンテンツの管理・利用等を、より容易に行える環境において、複数のマルチメディアコンテンツの内容説明を順次、提供するプログラムを実現することが可能となる。
【手続補正４３】
【補正対象書類名】明細書
【補正対象項目名】００５５
【補正方法】変更
【補正の内容】
【００５５】
更に、請求項２８記載の発明は、所定のキーワードに基づいて管理している前記クリップデータを、前記クライアント端末から受信した検索キーに基づいて検索するクリップデータ検索処理と、該クリップデータ検索処理で検索されたクリップデータの一覧に基づいて、電子番組表を作成する検索結果電子番組表作成処理と、を前記サーバに実行させ、前記電子番組表送信処理が、前記検索結果電子番組表作成処理で作成された前記電子番組表を送信させることを特徴としている。
【手続補正４４】
【補正対象書類名】明細書
【補正対象項目名】００５６
【補正方法】変更
【補正の内容】
【００５６】
これにより、請求項２８記載の発明では、ＴＶ番組等の映像コンテンツの管理・利用等を、より容易に行える環境において、ユーザが所望するマルチメディアコンテンツの情報を提供するプログラムを実現することが可能となる。
【手続補正４５】
【補正対象書類名】明細書
【補正対象項目名】００５７
【補正方法】変更
【補正の内容】
【００５７】
更に、請求項２９記載の発明は、前記電子番組表に、前記番組のコンテンツを該番組の放送時間帯に再生する予約を設定するための再生予約設定手段、及び／又は、前記番組のコンテンツを該番組の放送時間帯に録画する予約を設定するための録画予約設定手段、が設けられており、該再生予約設定手段又は該録画予約設定手段により設定された再生又は録画の予約の内容を登録する予約内容登録処理と、該予約内容登録処理で登録された前記予約の内容に基づいて、前記クライアント端末に該コンテンツを前記放送時間帯に再生又は録画させるコンテンツ再生／録画処理と、を前記サーバに実行させる。
【手続補正４６】
【補正対象書類名】明細書
【補正対象項目名】００５８
【補正方法】変更
【補正の内容】
【００５８】
これにより、請求項２９記載の発明では、ＴＶ番組等の映像コンテンツの管理・利用等を、より容易に行える環境において、マルチメディアコンテンツを放送時間帯に再生又は録画することを予約できる環境を実現するプログラムを提供することが可能となる。
また、請求項３０記載の発明は、クリップデータは所定のキーワードに基づいて管理されており、クライアント端末から検索キーを受信した場合、再生予約設定手段又は録画予約設定手段を用いて予約された番組のクリップデータを、所定のキーワードと検索キーとに基づいて検索する予約番組検索処理を前記サーバに実行させる。
これにより、請求項３０記載の発明では、予約した番組のクリップデータを検索できる。
【手続補正４７】
【補正対象書類名】明細書
【補正対象項目名】００５９
【補正方法】変更
【補正の内容】
【００５９】
更に、請求項３１記載の発明は、前記電子番組表に、前記番組のコンテンツを該番組の放送時間帯に録画する予約を設定するための録画予約設定手段が設けられており、該録画予約設定手段で設定された前記番組のコンテンツの録画の予約の内容を登録する予約内容登録処理と、該予約内容登録処理で登録された前記予約の内容に基づいて、該コンテンツを所定の圧縮方式で圧縮して録画するコンテンツ録画処理と、を前記サーバに実行させる。
【手続補正４８】
【補正対象書類名】明細書
【補正対象項目名】００６０
【補正方法】変更
【補正の内容】
【００６０】
これにより、請求項３１記載の発明では、ＴＶ番組等の映像コンテンツの管理・利用等を、より容易に行える環境において、録画されるマルチメディアコンテンツのデータ量を削減するプログラムを提供することが可能となる。
【手続補正４９】
【補正対象書類名】明細書
【補正対象項目名】００６１
【補正方法】変更
【補正の内容】
【００６１】
また、請求項３２記載の発明は、番組の放送スケジュールに基づいて作成した電子番組表を所定のネットワークを介してサーバから受信するクライアント端末を機能させるためのプログラムであって、前記番組のコンテンツに基づいて作成されたクリップデータが含まれる電子番組表を、所定のネットワークを介して前記サーバから受信する電子番組表受信処理と、該電子番組表受信処理で受信された電子番組表を表示する電子番組表表示処理と、を前記クライアント端末に実行させる。
【手続補正５０】
【補正対象書類名】明細書
【補正対象項目名】００６２
【補正方法】変更
【補正の内容】
【００６２】
これにより、請求項３２記載の発明では、ＴＶ番組等のマルチメディアコンテンツの管理・利用等を容易に行える環境を実現するプログラムを提供することが可能となる。
更に、請求項３３記載の発明は、電子番組表受信処理により受信した電番組表に含まれるクリップデータを再生するクリップデータ再生処理を、前記クライアント端末に実行させる。
これにより、請求項３３記載の発明では、クリップデータを再生（視聴）するためのプログラムを提供することが可能となる。
【手続補正５１】
【補正対象書類名】明細書
【補正対象項目名】００６３
【補正方法】変更
【補正の内容】
【００６３】
また、請求項３４記載の発明は、番組の放送スケジュールに基づいて作成した電子番組表を所定のネットワークを介してサーバから受信するクライアント端末を機能させるためのプログラムであって、前記番組のコンテンツに基づいて作成されたクリップデータへのリンクが張られた電子番組表を、前記所定のネットワークを介して前記サーバから受信する電子番組表受信処理と、該電子番組表送信処理で受信された電子番組表を表示する電子番組表表示処理と、該電子番組表表示処理で表示された前記電子番組表において選択された所定の部分にリンクが張られたクリップデータを、前記サーバから受信するクリップデータ受信処理と、該クリップデータ受信処理により受信されたクリップデータを再生するクリップデータ再生処理と、を前記クライアント端末に実行させる。
【手続補正５２】
【補正対象書類名】明細書
【補正対象項目名】００６４
【補正方法】変更
【補正の内容】
【００６４】
これにより、請求項３４記載の発明では、ＴＶ番組等のマルチメディアコンテンツの管理・利用等を容易に行える環境を実現するプログラムを提供することが可能となる。
【手続補正５３】
【補正対象書類名】明細書
【補正対象項目名】００６５
【補正方法】変更
【補正の内容】
【００６５】
更に、請求項３５記載の発明は、前記クリップデータ再生処理が、選択された複数の前記所定の部分に各々リンクが張られたクリップデータを順次、前記サーバから受信させ、前記クリップデータ受信処理で複数のクリップデータが受信された場合、受信したクリップデータを順次、再生させることを特徴としている。
【手続補正５４】
【補正対象書類名】明細書
【補正対象項目名】００６６
【補正方法】変更
【補正の内容】
【００６６】
これにより、請求項３５記載の発明では、ＴＶ番組等の映像コンテンツの管理・利用等を、より容易に行える環境において、複数のマルチメディアコンテンツの内容説明を順次、提供するプログラムを実現することが可能となる。
【手続補正５５】
【補正対象書類名】明細書
【補正対象項目名】００６７
【補正方法】変更
【補正の内容】
【００６７】
更に、請求項３６記載の発明は、所定のキーワードに基づいて管理されている前記クリップデータを検索するための検索キーを前記サーバに送信する検索キー送信処理と、前記サーバにおいて検索されたクリップデータの一覧に基づいて作成された電子番組表を前記サーバから受信する検索結果電子番組表受信処理と、を前記クライアント端末に実行させ、前記電子番組表表示処理が、前記検索結果電子番組表受信処理で受信された電子番組表を表示させることを特徴としている。
【手続補正５６】
【補正対象書類名】明細書
【補正対象項目名】００６８
【補正方法】変更
【補正の内容】
【００６８】
これにより、請求項３６記載の発明では、ＴＶ番組等の映像コンテンツの管理・利用等を、より容易に行える環境において、ユーザが所望するマルチメディアコンテンツの情報を提供するプログラムを実現することが可能となる。
【手続補正５７】
【補正対象書類名】明細書
【補正対象項目名】００６９
【補正方法】変更
【補正の内容】
【００６９】
更に、請求項３７記載の発明は、前記電子番組表に、前記番組のコンテンツを該番組の放送時間帯に再生する予約を設定するための再生予約設定手段、及び／又は、前記番組のコンテンツを該番組の放送時間帯に録画する予約を設定するための録画予約設定手段、が設けられており、該再生予約設定手段又は該録画予約設定手段により入力された前記コンテンツの再生又は録画の予約の内容を、前記サーバに送信する予約内容登録処理と、該予約内容登録処理で再生又は録画の予約を登録した前記番組のコンテンツを、前記放送時間帯に受信するコンテンツ受信処理と、該コンテンツ受信処理で受信された前記番組のコンテンツを再生又は録画するコンテンツ再生／録画処理と、を前記クライアント端末に実行させる。
【手続補正５８】
【補正対象書類名】明細書
【補正対象項目名】００７０
【補正方法】変更
【補正の内容】
【００７０】
これにより、請求項３７記載の発明では、ＴＶ番組等の映像コンテンツの管理・利用等を、より容易に行える環境において、マルチメディアコンテンツを放送時間帯に再生又は録画することを予約できる環境を実現するプログラムを提供することが可能となる。
また、請求項３８記載の発明は、所定のキーワードに基づいて管理されているクリップデータを検索するための検索キーを前記サーバに送信する検索キー送信処理と、検索キー送信処理により送信された検索キーと所定のキーワードに基づき、予約内容登録処理で再生又は録画の予約を登録した前記番組の検索結果を前記サーバから受信する予約番組検索結果受信処理と、を前記クライアント端末に実行させ、電子番組表表示処理は、予約番組検索結果受信処理により受信した予約を登録した番組の検索結果を表示させる。
これにより、請求項３８記載の発明では、予約した番組のクリップデータを検索することができる。
【手続補正５９】
【補正対象書類名】明細書
【補正対象項目名】００７１
【補正方法】変更
【補正の内容】
【００７１】
更に、請求項３９記載の発明は、前記コンテンツ再生／録画処理が、前記番組のコンテンツを所定の圧縮方式で圧縮して録画させることを特徴としている。
【手続補正６０】
【補正対象書類名】明細書
【補正対象項目名】００７２
【補正方法】変更
【補正の内容】
【００７２】
これにより、請求項３９記載の発明では、ＴＶ番組等の映像コンテンツの管理・利用等を、より容易に行える環境において、録画されるマルチメディアコンテンツのデータ量を削減するプログラムを提供することが可能となる。
【手続補正６１】
【補正対象書類名】明細書
【補正対象項目名】００７３
【補正方法】変更
【補正の内容】
【００７３】
また、請求項４０記載の発明は、上記いずれかのプログラムを記録媒体に記録した。
【手続補正６２】
【補正対象書類名】明細書
【補正対象項目名】００７４
【補正方法】変更
【補正の内容】
【００７４】
これにより、請求項４０記載の発明では、上記各プログラムを記録媒体に記録して提供することが可能となる。
【手続補正６３】
【補正対象書類名】明細書
【補正対象項目名】００８１
【補正方法】変更
【補正の内容】
【００８１】
本実施形態では、ＥＰＧ提供局１４０から提供する電子番組表に、ダイジェスト映像作成局１２０から取得したダイジェスト映像、又は、このダイジェスト映像へのリンクを添付する。これにより、ユーザサイド２００では、携帯電話機（次世代携帯電話機も含む）２０１やパーソナルコンピュータ（以下、ＰＣという）２０２やテレビジョン（以下、ＴＶという）２０３等に表示される電子番組表において、映像コンテンツの内容を容易に把握させることが可能となる。なお、携帯電話機２０１、ＰＣ２０２及びＴＶ２０３をクライアント端末と総称する。